(57)【要約】【課題】部品点数を削減する。【解決手段】バックライト装置１２は、レーザ光を発するレーザ光源である赤色レーザ光源１７及び青色レーザ光源１８と、外周端面のうちレーザ光源である赤色レーザ光源１７及び青色レーザ光源１８と正対する部分が、レーザ光が入射されるレーザ入光部２２ａとされ、外周端面のうちレーザ入光部２２ａとは反対側に位置する部分がレーザ入光反対部２２ｅとされ、一対の板面のいずれか一方が光を出射させる出光板面２２ｃとされる導光板２２と、導光板２２のレーザ入光反対部２２ｅに対して正対する形で配されて導光板２２から物理的に切り離されていてレーザ光を拡散反射する拡散反射部材２６と、を備える。【選択図】図３
2018120793.tif 000002
【特許請求の範囲】
【請求項１】
レーザ光を発するレーザ光源と、
外周端面のうち前記レーザ光源と正対する部分が、前記レーザ光が入射される入光部とされ、前記外周端面のうち前記入光部とは反対側に位置する部分が入光反対部とされ、一対の板面のいずれか一方が光を出射させる出光板面とされる導光板と、
前記導光板の前記入光反対部に対して正対する形で配されて前記導光板から物理的に切り離されていて前記レーザ光を拡散反射する拡散反射部材と、を備える照明装置。
【請求項２】
ＬＥＤ光源と、
前記ＬＥＤ光源が実装されて前記入光反対部と対向状をなすＬＥＤ光源基板と、を備え、
前記導光板は、前記外周端面のうち少なくとも前記ＬＥＤ光源と正対する部分が、前記ＬＥＤ光源の光が入射されるＬＥＤ入光部とされており、
前記拡散反射部材は、前記ＬＥＤ光源基板に設けられている請求項１記載の照明装置。
【請求項３】
前記レーザ光源が実装されて前記入光部と対向状をなすレーザ光源基板と、
前記レーザ光源基板及び前記ＬＥＤ光源基板が取り付けられるとともに前記導光板を収容する筐体と、を備える請求項２記載の照明装置。
【請求項４】
前記ＬＥＤ光源基板は、前記導光板に対して鉛直方向についての下側に配されており、
前記拡散反射部材は、前記導光板の前記入光反対部に接する形で配されている請求項２または請求項３記載の照明装置。
【請求項５】
前記レーザ光源には、赤色レーザ光を発する赤色レーザ光源と、青色レーザ光を発する青色レーザ光源と、が含まれるのに対し、
前記ＬＥＤ光源には、緑色光を発する緑色ＬＥＤ光源が含まれている請求項２から請求項４のいずれか１項に記載の照明装置。
【請求項６】
前記赤色レーザ光源及び前記青色レーザ光源は、互いに隣り合う形で配されており、
前記拡散反射部材は、前記赤色レーザ光源と前記青色レーザ光源とに跨る形成範囲を有する請求項５記載の照明装置。
【請求項７】
前記導光板を前記出光板面側とは反対側から支持する導光板支持部材を備えており、
前記拡散反射部材は、前記導光板支持部材に設けられる請求項１記載の照明装置。
【請求項８】
前記導光板の前記外周端面における少なくとも前記入光部には、前記入光部に入射した前記レーザ光の配光範囲が前記入光部側から前記入光反対部へ向かうほど広がるよう前記レーザ光に屈折作用を付与する光屈折部が設けられている請求項１から請求項７のいずれか１項に記載の照明装置。
【請求項９】
請求項１から請求項８のいずれか１項に記載の照明装置と、
前記照明装置から照射される光を利用して画像を表示する表示パネルと、を備える表示装置。
【請求項１０】
請求項９記載の表示装置を備えるテレビ受信装置。
【発明の詳細な説明】
【技術分野】
【０００１】
本発明は、照明装置、表示装置及びテレビ受信装置に関する。
【背景技術】
【０００２】
従来の液晶表示装置に用いられるバックライト装置の一例として下記特許文献１に記載されたものが知られている。この特許文献１に記載されたバックライト装置は、光出射面を有するバックライト筐体と、このバックライト筐体の光出射面に順次対向配置された拡散板、プリズムシートとおよび反射偏光板と、バックライト筐体の一つの端面に沿って配置されたレーザー光源と、バックライト筐体の他の端面に沿って配置されたＬＥＤ光源と、レーザー光源からのレーザー光を伝播させると共にバックライト筐体内にレーザー光を拡散放出するように長尺状に延伸されたレーザー導光棒と、ＬＥＤ光源からのＬＥＤ光を伝播させると共にバックライト筐体内にＬＥＤ光を拡散放出するように長尺状に延伸されたＬＥＤ導光棒と、を備える。
【先行技術文献】
【特許文献】
【０００３】
【特許文献１】特開２０１４−２６１３２号公報
【発明の概要】
【発明が解決しようとする課題】
【０００４】
上記した特許文献１に記載された液晶表示装置では、レーザー導光棒及びＬＥＤ導光棒をレーザー光源及びＬＥＤ光源毎に個別に設置していたため、部品点数が多くなっていた。
【０００５】
本発明は上記のような事情に基づいて完成されたものであって、部品点数を削減することを目的とする。
【課題を解決するための手段】
【０００６】
本発明の照明装置は、レーザ光を発するレーザ光源と、外周端面のうち前記レーザ光源と正対する部分が、前記レーザ光が入射される入光部とされ、前記外周端面のうち前記入光部とは反対側に位置する部分が入光反対部とされ、一対の板面のいずれか一方が光を出射させる出光板面とされる導光板と、前記導光板の前記入光反対部に対して正対する形で配されて前記導光板から物理的に切り離されていて前記レーザ光を拡散反射する拡散反射部材と、を備える。
【０００７】
このような構成によれば、レーザ光源から発せられたレーザ光は、導光板の入光部に入射し、導光板内を直進する形で入光反対部へと向かう。入光反対部に達したレーザ光は、入光反対部に対して正対する形で配された拡散反射部材によって拡散反射されることで、導光板内を拡散しつつ入光部側へ向けて進行した後に出光板面から出射される。これにより、出光板面の面内において出射光の輝度均一性が高いものとされる。また、従来のように各光源毎に個別に導光棒を用いる構成に比べると、導光板を用いているので、部品点数を削減する上で好適となる。
【０００８】
拡散反射部材は、導光板から物理的に切り離されているので、レーザ光源に対する導光板の位置関係を問わず、レーザ光源に対する位置関係が定まる。従って、仮にレーザ光源に対して導光板が位置ずれした場合であっても、レーザ光源に対する拡散反射部材の位置関係が安定的に保持され、もってレーザ光が拡散反射部材により拡散反射される確実性が高いものとされる。
【０００９】
本発明の実施態様として、次の構成が好ましい。
（１）ＬＥＤ光源と、前記ＬＥＤ光源が実装されて前記入光反対部と対向状をなすＬＥＤ光源基板と、を備え、前記導光板は、前記外周端面のうち少なくとも前記ＬＥＤ光源と正対する部分が、前記ＬＥＤ光源の光が入射されるＬＥＤ入光部とされており、前記拡散反射部材は、前記ＬＥＤ光源基板に設けられている。このようにすれば、ＬＥＤ光源から発せられた光は、導光板のＬＥＤ入光部に入射し、導光板内を伝播された後に出光板面から出射される。ＬＥＤ光源が実装されたＬＥＤ光源基板を利用して拡散反射部材を導光板の入光反対部に対して正対する形で配することができる。
【００１０】
（２）前記レーザ光源が実装されて前記入光部と対向状をなすレーザ光源基板と、前記レーザ光源基板及び前記ＬＥＤ光源基板が取り付けられるとともに前記導光板を収容する筐体と、を備える。このようにすれば、レーザ光源基板と、拡散反射部材が設けられたＬＥＤ光源基板と、が共通の筐体に取り付けられるので、レーザ光源と拡散反射部材との位置関係に係る位置精度を高く保つ上で好適となる。
【００１１】
（３）前記ＬＥＤ光源基板は、前記導光板に対して鉛直方向についての下側に配されており、前記拡散反射部材は、前記導光板の前記入光反対部に接する形で配されている。このようにすれば、導光板に作用する重力を利用して入光反対部と拡散反射部材とを密着状態に保つことができる。これにより、入光反対部と拡散反射部材との間から光漏れが生じ難くなり、光の利用効率に優れる。
【００１２】
（４）前記レーザ光源には、赤色レーザ光を発する赤色レーザ光源と、青色レーザ光を発する青色レーザ光源と、が含まれるのに対し、前記ＬＥＤ光源には、緑色光を発する緑色ＬＥＤ光源が含まれている。このようにすれば、拡散反射部材は、赤色レーザ光源及び青色レーザ光源から発せられた赤色レーザ光及び青色レーザ光を拡散反射することで、拡散光を発する擬似的な赤色拡散光源及び青色拡散光源として機能するので、拡散反射部材により拡散反射された赤色光及び青色光は、緑色ＬＥＤ光源から発せられてＬＥＤ入光部に入射した緑色光と共に導光板内にて良好にミキシングされて白色光として出光板面から出射される。赤色レーザ光源から発せられる赤色レーザ光と、青色レーザ光源から発せられる青色レーザ光と、は、互いに波長範囲が干渉することが殆ど無く、且つ緑色ＬＥＤ光源から発せられる緑色光に対しても波長範囲が干渉することが殆ど無いものとされる。これにより、各色の色純度が十分に高いものとなる。しかも、緑色ＬＥＤ光源は、緑色レーザ光を発する緑色レーザ光源に比べると、発光効率が良好なので、低消費電力で高輝度が得られる。
【００１３】
（５）前記赤色レーザ光源及び前記青色レーザ光源は、互いに隣り合う形で配されており、前記拡散反射部材は、前記赤色レーザ光源と前記青色レーザ光源とに跨る形成範囲を有する。このようにすれば、互いに隣り合う赤色レーザ光源と前記青色レーザ光源とに跨る形成範囲を有する拡散反射部材により赤色レーザ光及び青色レーザ光を効率的に散乱反射することができる。
【００１４】
（６）前記導光板を前記出光板面側とは反対側から支持する導光板支持部材を備えており、前記拡散反射部材は、前記導光板支持部材に設けられる。このようにすれば、導光板は、導光板支持部材によって出光板面側とは反対側から支持されることで、レーザ光源と入光部との位置関係が安定的に保持される。この導光板支持部材を利用して拡散反射部材を導光板の入光反対部に対して正対する形で配することができる。
【００１５】
（７）前記導光板の前記外周端面における少なくとも前記入光部には、前記入光部に入射した前記レーザ光の配光範囲が前記入光部側から前記入光反対部へ向かうほど広がるよう前記レーザ光に屈折作用を付与する光屈折部が設けられている。このようにすれば、レーザ光源から発せられたレーザ光は、入光部に入射する際に光屈折部によって屈折作用が付与される。屈折作用を付与されたレーザ光は、導光板内を入光部側から入光反対部へ向けて進行する過程で配光範囲が広げられる。従って、入光反対部に達したレーザ光は、拡散反射部材に対してより広範囲に照射されつつ拡散反射されるので、拡散反射部材による拡散反射光の拡散範囲がより広いものとなる。これにより、出光板面の面内において出射光の輝度均一性がより高いものとされる。
【００１６】
上記課題を解決するために、本発明の表示装置は、上記記載の照明装置と、前記照明装置から照射される光を利用して画像を表示する表示パネルと、を備える。このような構成の表示装置によれば、照明装置の部品点数が削減されるとともに、照明装置においてレーザ光が拡散反射部材により拡散反射される確実性が高いから、製造コストを削減することができるとともに、表示品位に優れた表示を実現することができる。
【００１７】
上記課題を解決するために、本発明のテレビ受信装置は、上記記載の表示装置を備える。このようなテレビ受信装置によれば、表示装置の製造コストが削減されるとともに、表示品位が優れたものとされているから、価格競争力に優れるとともに、表示品位に優れたテレビ画像の表示を実現することができる。
【発明の効果】
【００１８】
本発明によれば、部品点数を削減することができる。
【図面の簡単な説明】
【００１９】
【図１】本発明の実施形態１に係るテレビ受信装置の概略構成を示す分解斜視図
【図２】液晶表示装置を構成するバックライト装置の平面図
【図３】図２のＡ−Ａ線断面図
【図４】図２のＢ−Ｂ線断面図
【図５】各光源の発光スペクトルと、カラーフィルタの各着色部の透過スペクトルと、を示すグラフ
【図６】本発明の実施形態２に係る液晶表示装置を構成するバックライト装置の平面図
【図７】図６のＡ−Ａ線断面図
【図８】本発明の実施形態３に係る液晶表示装置を構成するバックライト装置の平面図
【図９】本発明の実施形態４に係る液晶表示装置を構成するバックライト装置の平面図
【図１０】本発明の実施形態５に係る液晶表示装置を構成するバックライト装置の平面図
【図１１】図１０のＡ−Ａ線断面図
【発明を実施するための形態】
【００２０】
＜実施形態１＞
本発明の実施形態１を図１から図５によって説明する。本実施形態では、液晶表示装置１０及びそれを用いたテレビ受信装置１０ＴＶについて例示する。なお、各図面の一部にはＸ軸、Ｙ軸及びＺ軸を示しており、各軸方向が各図面で示した方向となるように描かれている。また、図３及び図４などに示す上側を表側とし、同図下側を裏側とする。
【００２１】
本実施形態に係るテレビ受信装置１０ＴＶは、図１に示すように、全体として横長の略方形状をなす液晶表示装置１０と、当該液晶表示装置１０を挟むようにして収容する表裏両キャビネット１０Ｃａ，１０Ｃｂと、電源１０Ｐと、テレビ信号を受信するチューナー（受信部）１０Ｔと、スタンド１０Ｓと、を備えて構成される。液晶表示装置１０は、図３に示すように、画像を表示する液晶パネル（表示パネル）１１と、液晶パネル１１に表示のための光を供給するバックライト装置（照明装置）１２と、を備え、これらが枠状のベゼル１３などにより一体的に保持される。
【００２２】
液晶パネル１１は、図３に示すように、一対のガラス基板が所定のギャップを隔てた状態で貼り合わせられるとともに、両ガラス基板間に電界印加に伴って光学特性が変化する物質である液晶分子を含む液晶層（図示せず）が封入された構成とされる。一方のガラス基板（アレイ基板、アクティブマトリクス基板）の内面側には、互いに直交するソース配線とゲート配線とに接続されたスイッチング素子（例えばＴＦＴ）と、ソース配線とゲート配線とに囲まれた方形状の領域に配されてスイッチング素子に接続される画素電極と、がマトリクス状に平面配置される他、配向膜等が設けられている。他方のガラス基板（対向基板、ＣＦ基板）の内面側には、Ｒ（赤色），Ｇ（緑色），Ｂ（青色）等の各着色部が所定配列でマトリクス状に平面配置されたカラーフィルタが設けられる他、各着色部間に配されて格子状をなす遮光層（ブラックマトリクス）、画素電極と対向状をなすベタ状の対向電極、配向膜等が設けられている。なお、両ガラス基板の外面側には、それぞれ偏光板が配されている。また、液晶パネル１１における長辺方向がＸ軸方向と一致し、短辺方向がＹ軸方向と一致し、さらに厚さ方向がＺ軸方向と一致している。
【００２３】
バックライト装置１２は、図２及び図３に示すように、表側（液晶パネル１１側）に向けて開口する光出射部１４ｂを有した略箱型をなすシャーシ（筐体）１４と、シャーシ１４の光出射部（開口部）１４ｂを覆う形で配される光学部材（光学シート）１５と、光学部材１５を裏側から支持するフレーム１６と、を備える。さらに、シャーシ１４内には、光源である赤色レーザ光源（レーザ光源）１７、青色レーザ光源（レーザ光源）１８及び緑色ＬＥＤ光源（ＬＥＤ光源）１９と、赤色レーザ光源１７及び青色レーザ光源１８が実装されたレーザ光源基板２０と、緑色ＬＥＤ光源１９が実装されたＬＥＤ光源基板２１と、各光源１７〜１９からの光を導光して光学部材１５（液晶パネル１１）へと導く導光板２２と、導光板２２の裏側に積層配置される反射シート２３と、反射シート２３とシャーシ１４との間に介在して導光板２２を裏側から支持する導光板支持部材２４と、が備えられる。なお、図２では、区別のために赤色レーザ光源１７には縦縞の模様を、青色レーザ光源１８には横縞の模様を、緑色ＬＥＤ光源１９には斜め縞の模様を、それぞれ付している。そして、このバックライト装置１２は、その短辺方向（Ｙ軸方向）についての両端部にレーザ光源基板２０とＬＥＤ光源基板２１とが配されており、各光源１７〜１９からの光が導光板２２に対して両側から入光される両側入光タイプのエッジライト型（サイドライト型）とされる。続いて、バックライト装置１２の各構成部品について詳しく説明する。
【００２４】
シャーシ１４は、金属製とされ、図２及び図３に示すように、液晶パネル１１と同様に横長の略方形状をなす底部１４ａと、底部１４ａの各辺の外端からそれぞれ立ち上がる側部１４ｃと、からなり、全体としては表側に向けて開口した浅い略箱型をなしている。シャーシ１４（底部１４ａ）は、その長辺方向がＸ軸方向（水平方向）と一致し、短辺方向がＹ軸方向（鉛直方向）と一致している。また、側部１４ｃには、フレーム１６及びベゼル１３が固定可能とされる。
【００２５】
光学部材１５は、図３に示すように、シャーシ１４の光出射部１４ｂを覆うとともに、液晶パネル１１と導光板２２との間に介在する形で配されている。つまり、光学部材１５は、各光源１７〜１９に対して出光経路の出口側に配されている、と言える。光学部材１５は、シート状をなしていて合計で３枚が備えられている。具体的には、光学部材１５は、光に等方性集光作用を付与するマイクロレンズシート１５ａと、光に異方性集光作用を付与するプリズムシート１５ｂと、光を偏光反射する反射型偏光シート１５ｃと、から構成される。光学部材１５は、裏側からマイクロレンズシート１５ａ、プリズムシート１５ｂ、及び反射型偏光シート１５ｃの順で相互に積層されてそれらの外縁部がフレーム１６に対してその表側に載せられている。つまり、光学部材１５は、導光板２２に対して表側、つまり光出射側にフレーム１６（詳しくは後述する枠状部１６ａ）分の間隔を空けて対向状をなしている。
【００２６】
フレーム１６は、図３に示すように、導光板２２及び光学部材１５の外周縁部に沿って延在する横長の枠状部１６ａを有している。この枠状部１６ａは、光学部材１５の外周縁部をほぼ全周にわたって裏側から受けて支持するとともに、導光板２２の外周縁部をほぼ全周にわたって表側から押さえて支持する。枠状部１６ａにおける両長辺部における裏側の面（導光板２２及び各光源１７〜１９）との対向面には、光を反射するフレーム側反射シート２５がそれぞれ取り付けられている。また、フレーム１６は、枠状部１６ａから表側に向けて突出するとともに、液晶パネル１１における外周縁部を裏側から支持する液晶パネル支持部１６ｂを有している。
【００２７】
赤色レーザ光源１７は、図２及び図３に示すように、赤色レーザ光を発する赤色半導体レーザ素子を有する。青色レーザ光源１８は、青色レーザ光を発する青色半導体レーザ素子を有する。これら赤色レーザ光源１７及び青色レーザ光源１８が発する各色のレーザ光は、それぞれ位相及び波長が揃ったコヒーレント光であり、後述する緑色ＬＥＤ光源１９から発せられる緑色光に比べると、発散角が小さくて直進性が強い。そして、赤色レーザ光源１７及び青色レーザ光源１８が発する各色のレーザ光は、一般的な赤色ＬＥＤ光源や青色ＬＥＤ光源が発する各色の光に比べると、色純度が優れている。また、赤色レーザ光源１７及び青色レーザ光源１８は、自身の発光面とは反対側の面が次述するレーザ光源基板２０にそれぞれ実装されており、いわゆる頂面発光型とされる。
【００２８】
レーザ光源基板２０は、図２及び図３に示すように、シャーシ１４の長辺方向に沿って延在する板状をなしており、長辺側の一方（図２に示す上側）の側部１４ｃに対して取り付けられている。レーザ光源基板２０は、赤色レーザ光源１７及び青色レーザ光源１８が実装された実装面２０ａが導光板２２の長辺側の一方の端面と対向状をなしている。レーザ光源基板２０の実装面２０ａには、赤色レーザ光源１７及び青色レーザ光源１８に対して給電するための配線パターン（図示せず）がパターニングされるとともに、複数ずつの赤色レーザ光源１７及び青色レーザ光源１８がＸ軸方向に沿って間隔を空けて交互に並ぶ形で実装されている。詳しくは、複数ずつの赤色レーザ光源１７及び青色レーザ光源１８は、隣り合うものの間の間隔が２通りとされており、相対的に狭い間隔で配置されるものが１つの組を構成している。従って、異なる組をなす赤色レーザ光源１７及び青色レーザ光源１８の間の間隔は、相対的に広くなっている。
【００２９】
緑色ＬＥＤ光源１９は、図２及び図４に示すように、緑色光を発する緑色半導体素子（緑色ＬＥＤ素子）を有する。緑色ＬＥＤ光源１９が発する緑色光は、インコヒーレント光であり、上記した赤色レーザ光源１７及び青色レーザ光源１８が発する各色のレーザ光に比べると、発散角が大きくて直進性が弱い。そして、緑色ＬＥＤ光源１９は、一般的な緑色レーザ光源に比べると、発光効率が２倍程度優れており、低い消費電力でもって高い輝度が得られる。また、緑色ＬＥＤ光源１９は、自身の発光面とは反対側の面が次述するＬＥＤ光源基板２１に実装されており、いわゆる頂面発光型とされる。
【００３０】
ＬＥＤ光源基板２１は、図２及び図４に示すように、シャーシ１４の長辺方向に沿って延在する板状をなしており、長辺側の他方（図２に示す下側）の側部１４ｃに対して取り付けられている。ＬＥＤ光源基板２１は、緑色ＬＥＤ光源１９が実装された実装面２１ａが導光板２２の長辺側の他方の端面と対向状をなしている。ＬＥＤ光源基板２１の実装面２１ａには、緑色ＬＥＤ光源１９に対して給電するための配線パターン（図示せず）がパターニングされるとともに、複数の緑色ＬＥＤ光源１９がＸ軸方向に沿って間隔を空けて並ぶ形で実装されている。詳しくは、複数の緑色ＬＥＤ光源１９は、隣り合うものの間の間隔が、同じ組をなす赤色レーザ光源１７及び青色レーザ光源１８におけるＸ軸方向についての配置範囲よりも広くされる。そして、複数の緑色ＬＥＤ光源１９は、赤色レーザ光源１７及び青色レーザ光源１８とはＸ軸方向についてオフセットした配置（揃わない配置）とされる。
【００３１】
導光板２２は、ほぼ透明な合成樹脂材料（例えばＰＭＭＡなどのアクリル樹脂やポリカーボネートなど）からなる。導光板２２は、図３及び図４に示すように、光学部材１５よりも厚みが大きな板状をなすとともに液晶パネル１１及び光学部材１５の直下に位置する形でシャーシ１４内に収容されている。導光板２２は、図２に示すように、光学部材１５などと同様に平面に視て横長の略方形状をなしている。導光板２２の外周端面のうち長辺側の一方（図２に示す上側）の端面は、赤色レーザ光源１７及び青色レーザ光源１８の各発光面と正対していて各色のレーザ光が入射されるレーザ入光部（入光部）２２ａを有しており、その設置数及び配置間隔は赤色レーザ光源１７及び青色レーザ光源１８の設置組数及び各組間の配置間隔と同一である。レーザ入光部２２ａは、Ｘ軸方向についての形成範囲が１つの組をなす赤色レーザ光源１７及び青色レーザ光源１８の配置範囲とほぼ一致している。導光板２２の外周端面のうち長辺側の他方（図２に示す下側）の端面は、緑色ＬＥＤ光源１９の発光面と対向（正対）していて緑色光が入射されるＬＥＤ入光部２２ｂを有しており、その設置数及び配置間隔は緑色ＬＥＤ光源１９の設置数及び配置間隔と同一である。ＬＥＤ入光部２２ｂは、Ｘ軸方向についての形成範囲が、上記他方の端面のうち緑色ＬＥＤ光源１９と正対する部分に加えてその正対部分（緑色ＬＥＤ光源１９の配置範囲）よりもさらに左右に広くなっている。その理由は、緑色ＬＥＤ光源１９から発せられる緑色光の発散角が各レーザ光源１７，１８の同発散角よりも大きい為である。さらには、導光板２２の外周端面のうちのＬＥＤ入光部２２ｂを有する長辺側の他方の端面は、レーザ入光部２２ａとは反対側に位置する部分であるレーザ入光反対部（入光反対部）２２ｅを有している。レーザ入光反対部２２ｅは、導光板２２の上記他方の端面においてＬＥＤ入光部２２ｂとＸ軸方向に沿って交互に並ぶ形で複数配されており、その設置数及び配置間隔は赤色レーザ光源１７及び青色レーザ光源１８の設置組数及び各組間の配置間隔と同一である。導光板２２は、図３及び図４に示すように、表裏一対の板面のうち、表側を向いた板面が、光を液晶パネル１１及び光学部材１５に向けて出射させる出光板面２２ｃとされ、裏側を向いた板面が出光板面２２ｃとは反対側の出光反対板面２２ｄとされる。以上により、導光板２２は、各光源１７〜１９からＹ軸方向に沿って発せられた光を各入光部２２ａ，２２ｂから導入するとともに、その光を内部で伝播させた後にＺ軸方向に沿って立ち上げて出光板面２２ｃから光学部材１５側（表側、光出射側）へ向けて出射させる機能を有している。
【００３２】
反射シート２３は、図３に示すように、導光板２２の出光反対板面２２ｄを覆う形で配される。反射シート２３は、光反射性に優れており、導光板２２の出光反対板面２２ｄから漏れた光を表側（出光板面２２ｃ）に向けて効率的に立ち上げることができる。反射シート２３は、導光板２２よりも一回り大きな外形を有しており、長辺側の両端部が導光板２２の各入光部２２ａ，２２ｂよりも各光源１７〜１９側にそれぞれ突き出す形で配されている。
【００３３】
導光板支持部材２４は、合成樹脂製とされ、図３及び図４に示すように、導光板２２における長辺側の両端部を裏側からそれぞれ支持する形で一対備えられる。導光板支持部材２４は、シャーシ１４の底部１４ａと反射シート２３との間に介在する形で配されており、導光板２２を底部１４ａとは直接接することがないよう底部１４ａから持ち上げた形で支持している。これにより、各光源１７〜１９と導光板２２とのＺ軸方向についての位置関係を安定的に保持することができるのに加えて、各光源１７〜１９から発光に伴って生じた熱が各基板２０，２１を介してシャーシ１４に伝達されても、シャーシ１４から導光板２２へ伝達され難くなっている。導光板支持部材２４は、導光板２２及び反射シート２３の長辺方向に沿って延在して反射シート２３に直接接する本体部２４ａと、本体部２４ａにおけるＹ軸方向についての両端部から裏側に向けて突出してシャーシ１４の底部１４ａに接する一対の脚部２４ｂと、からなる。
【００３４】
ここで、バックライト装置１２に備わる各光源１７〜１９における主発光波長及び発光スペクトルについて図５を用いて詳しく説明する。図５には、各光源１７〜１９に係る発光スペクトルが示されており、同図の横軸が波長（単位は「ｎｍ」）とされ、同図の左側の縦軸が発光強度（単位は「Ｗ／ｎｍ」）とされている。また、図５では、細い破線により赤色レーザ光源１７の発光スペクトルを、細い二点鎖線により青色レーザ光源１８の発光スペクトルを、細い一点鎖線により緑色ＬＥＤ光源１９の発光スペクトルを、それぞれ示している。赤色レーザ光源１７は、主発光波長が６３０ｎｍとされ、半値幅（半値全幅）が２ｎｍとされる発光スペクトルの赤色レーザ光を発する。青色レーザ光源１８は、主発光波長が４４１ｎｍとされ、半値幅が２ｎｍとされる発光スペクトルの青色レーザ光を発する。青色レーザ光源１８は、主発光波長における発光強度（０．０５５Ｗ／ｎｍ）が、赤色レーザ光源１７の同発光強度（０．０３７Ｗ／ｎｍ）よりも大きい。緑色ＬＥＤ光源１９は、主発光波長が約５３４ｎｍとされ、半値幅が約１８ｎｍとされる発光スペクトルの緑色光を発する。緑色ＬＥＤ光源１９は、主発光波長における発光強度（０．００１８Ｗ／ｎｍ）が、赤色レーザ光源１７及び青色レーザ光源１８のそれぞれの同発光強度よりも遙かに小さく、また発光スペクトルの半値幅が赤色レーザ光源１７及び青色レーザ光源１８のそれぞれの同半値幅よりも遙かに広い。以上のように、赤色レーザ光源１７から発せられる赤色レーザ光と、青色レーザ光源１８から発せられる青色レーザ光と、は、互いに波長範囲が干渉することが殆ど無く、且つ緑色ＬＥＤ光源１９から発せられる緑色光に対しても波長範囲が干渉することが殆ど無いものとされる。これにより、バックライト装置１２の照明光に係る各色の色純度が十分に高いものとなる。しかも、緑色ＬＥＤ光源１９は、緑色レーザ光を発する一般的な緑色レーザ光源に比べると、発光効率が良好なので、低消費電力で高輝度が得られる。
【００３５】
次に、液晶パネル１１に備わるカラーフィルタの各着色部における透過スペクトルについて図５を用いて詳しく説明する。図５には、各着色部に係る透過スペクトルが示されており、同図の横軸が波長（単位は「ｎｍ」）とされ、同図の右側の縦軸が分光透過率（単位は「％」）とされている。また、図５では、太い破線により赤色着色部の透過スペクトルを、太い二点鎖線により青色着色部の透過スペクトルを、太い一点鎖線により緑色着色部の透過スペクトルを、それぞれ示している。赤色を呈する赤色着色部は、赤色の波長領域（約６００ｎｍ〜約７８０ｎｍ）の光、つまり赤色光を選択的に透過するものとされており、その透過スペクトルに含まれるピークの半値となる波長が５９５ｎｍ以上となるよう構成されている。この「ピークの半値となる波長」は、透過スペクトルのピーク波長（６３４ｎｍ）における分光透過率の値（最大値）の半値となる波長のことである。青色を呈する青色着色部は、青色の波長領域（約４２０ｎｍ〜約５００ｎｍ）の光、つまり青色光を選択的に透過するものとされており、その透過スペクトルに含まれるピーク波長が４６８ｎｍとされるとともに、ピークの半値幅が約９０ｎｍとされる。緑色を呈する緑色着色部は、緑色の波長領域（約５００ｎｍ〜約５７０ｎｍ）の光、つまり緑色光を選択的に透過するものとされており、その透過スペクトルに含まれるピーク波長が５２２ｎｍとされるとともに、ピークの半値幅が約９６ｎｍとされる。緑色着色部は、赤色着色部及び青色着色部の双方に対して透過スペクトルが部分的に重なっているが、青色着色部との重なり量が赤色着色部との重なり量よりも大きくなっている。つまり、緑色着色部の透過光には、赤色光よりも青色光の方が多く含まれ易い傾向にある。
【００３６】
さて、本実施形態に係るバックライト装置１２は、図２及び図３に示すように、導光板２２内を伝播する各色のレーザ光を拡散反射するための拡散反射部材２６を有している。拡散反射部材２６は、表面が光の反射性に優れた白色を呈する合成樹脂製（例えばＰＣＴ樹脂製）とされており、導光板２２の外周端面のうちのＬＥＤ光源基板２１と対向状をなす長辺側の他方（図２に示す下側）の端面におけるレーザ入光反対部２２ｅと正対する形で配されている。拡散反射部材２６は、導光板２２の上記他方の端面においてＬＥＤ入光部２２ｂとＸ軸方向に沿って交互に並ぶ形で複数配されており、その設置数及び配置間隔はレーザ入光反対部２２ｅの設置数及び配置間隔（赤色レーザ光源１７及び青色レーザ光源１８の設置組数及び各組間の配置間隔）と同一である。そして、拡散反射部材２６は、ＬＥＤ光源基板２１に一体に設けられていて、導光板２２から物理的に切り離されている。拡散反射部材２６は、Ｙ軸方向について導光板２２とＬＥＤ光源基板２１との間に挟み込まれる形で配されるとともに、緑色ＬＥＤ光源１９に対してＸ軸方向について隣り合う形で配されている。
【００３７】
このような構成によれば、赤色レーザ光源１７及び青色レーザ光源１８から発せられた赤色レーザ光及び青色レーザ光は、導光板２２のレーザ入光部２２ａに入射すると、導光板２２内を直進してレーザ入光部２２ａとは反対側に位置するレーザ入光反対部２２ｅに達する。レーザ入光反対部２２ｅに達した赤色レーザ光及び青色レーザ光は、拡散反射部材２６によって拡散反射されることで、導光板２２内を拡散しつつレーザ入光部２２ａ側へ向けて進行した後に出光板面２２ｃから出射される。このように、Ｙ軸方向について緑色ＬＥＤ光源１９と同じ側に配される拡散反射部材２６が、緑色ＬＥＤ光源１９と同等またはそれ以上の発散角となる赤色及び青色の拡散光を発する擬似的な赤色拡散光源及び青色拡散光源として機能する。これにより、拡散反射部材２６によって拡散反射された赤色光及び青色光は、緑色ＬＥＤ光源１９から発せられてＬＥＤ入光部２２ｂに入射した緑色光と共に導光板２２内にて良好にミキシングされて色ムラの無い白色光として出光板面２２ｃから出射され、その輝度均一性及び色度均一性がいずれも高いものとなる。また、従来のように各光源毎に個別に導光棒を用いる構成に比べると、導光板２２を用いているので、部品点数を削減する上で好適となる。その上で、拡散反射部材２６は、導光板２２から物理的に切り離されているので、各レーザ光源１７，１８に対する導光板２２の位置関係を問わず、各レーザ光源１７，１８に対する位置関係が定まる。従って、仮に各レーザ光源１７，１８に対して導光板２２が位置ずれした場合であっても、各レーザ光源１７，１８に対する拡散反射部材２６の位置関係が安定的に保持され、もって赤色及び青色の各レーザ光が拡散反射部材２６により拡散反射される確実性が高いものとされる。また、拡散反射部材２６は、緑色ＬＥＤ光源１９が実装されたＬＥＤ光源基板２１を利用して導光板２２のレーザ入光反対部２２ｅに対して正対する形で配されている。なお、液晶パネル１１に表示される画像に係るホワイトバランスは、赤色レーザ光源１７、青色レーザ光源１８及び緑色ＬＥＤ光源１９の出力を調整することで制御することができ、液晶パネル１１におけるＲ，Ｇ，Ｂの各画素のγ値を調整する必要がないものとされる。
【００３８】
上記のように拡散反射部材２６が一体に設けられたＬＥＤ光源基板２１は、図２及び図３に示すように、赤色レーザ光源１７及び青色レーザ光源１８が実装されたレーザ光源基板２０と共通のシャーシ１４に取り付けられている。従って、仮に拡散反射部材を導光板２２と一体に設けるようにした場合に比べると、赤色レーザ光源１７及び青色レーザ光源１８と、拡散反射部材２６と、をＸ軸方向及びＺ軸方向について高い位置精度でもって位置合わせすることが可能となる。これにより、拡散反射部材２６による光拡散反射機能を適切に発揮させる確実性が高いものとなる。
【００３９】
ＬＥＤ光源基板２１及び拡散反射部材２６は、図２及び図３に示すように、導光板２２に対して鉛直方向の下側に配されるのが好ましい。なお、図２における上下は鉛直方向の上下と一致しており、図３における左側が鉛直方向の下側と、図３における右側が鉛直方向の上側と、それぞれ一致している。そして、拡散反射部材２６は、導光板２２のレーザ入光反対部２２ｅに接する形で配されている。このようにすれば、導光板２２に作用する重力（自重）を利用してレーザ入光反対部２２ｅに対して拡散反射部材２６を密着状態に継続的に保持することができ、レーザ入光反対部２２ｅと拡散反射部材２６との間に隙間が生じ難くなっている。これにより、赤色レーザ光及び青色レーザ光がレーザ入光反対部２２ｅから光漏れし難くなり、拡散反射部材２６によって拡散反射されて有効利用される確実性が高いものとされる。
【００４０】
拡散反射部材２６及びレーザ入光反対部２２ｅは、図２に示すように、Ｘ軸方向についての形成範囲が１つの組をなす赤色レーザ光源１７及び青色レーザ光源１８におけるＸ軸方向についての配置範囲とほぼ等しくされている。つまり、拡散反射部材２６は、１つの組をなす赤色レーザ光源１７と青色レーザ光源１８とに跨る形成範囲を有している。このような構成によれば、仮に拡散反射部材が１つの組をなす赤色レーザ光源１７と青色レーザ光源１８とに対して個別に対応付けて設けられた場合に比べると、拡散反射部材２６により赤色レーザ光及び青色レーザ光を効率的に散乱反射することができるとともに、拡散反射部材２６の設置が容易なものとなる。
【００４１】
以上説明したように本実施形態のバックライト装置（照明装置）１２は、レーザ光を発するレーザ光源である赤色レーザ光源１７及び青色レーザ光源１８と、外周端面のうちレーザ光源である赤色レーザ光源１７及び青色レーザ光源１８と正対する部分が、レーザ光が入射されるレーザ入光部（入光部）２２ａとされ、外周端面のうちレーザ入光部２２ａとは反対側に位置する部分がレーザ入光反対部（入光反対部）２２ｅとされ、一対の板面のいずれか一方が光を出射させる出光板面２２ｃとされる導光板２２と、導光板２２のレーザ入光反対部２２ｅに対して正対する形で配されて導光板２２から物理的に切り離されていてレーザ光を拡散反射する拡散反射部材２６と、を備える。
【００４２】
このような構成によれば、レーザ光源である赤色レーザ光源１７及び青色レーザ光源１８から発せられたレーザ光は、導光板２２のレーザ入光部２２ａに入射し、導光板２２内を直進する形でレーザ入光反対部２２ｅへと向かう。レーザ入光反対部２２ｅに達したレーザ光は、レーザ入光反対部２２ｅに対して正対する形で配された拡散反射部材２６によって拡散反射されることで、導光板２２内を拡散しつつレーザ入光部２２ａ側へ向けて進行した後に出光板面２２ｃから出射される。これにより、出光板面２２ｃの面内において出射光の輝度均一性が高いものとされる。また、従来のように各光源毎に個別に導光棒を用いる構成に比べると、導光板２２を用いているので、部品点数を削減する上で好適となる。
【００４３】
拡散反射部材２６は、導光板２２から物理的に切り離されているので、レーザ光源である赤色レーザ光源１７及び青色レーザ光源１８に対する導光板２２の位置関係を問わず、レーザ光源である赤色レーザ光源１７及び青色レーザ光源１８に対する位置関係が定まる。従って、仮にレーザ光源である赤色レーザ光源１７及び青色レーザ光源１８に対して導光板２２が位置ずれした場合であっても、レーザ光源である赤色レーザ光源１７及び青色レーザ光源１８に対する拡散反射部材２６の位置関係が安定的に保持され、もってレーザ光が拡散反射部材２６により拡散反射される確実性が高いものとされる。
【００４４】
また、ＬＥＤ光源である緑色ＬＥＤ光源１９と、ＬＥＤ光源である緑色ＬＥＤ光源１９が実装されてレーザ入光反対部２２ｅと対向状をなすＬＥＤ光源基板２１と、を備え、導光板２２は、外周端面のうち少なくともＬＥＤ光源である緑色ＬＥＤ光源１９と正対する部分が、ＬＥＤ光源である緑色ＬＥＤ光源１９の光が入射されるＬＥＤ入光部２２ｂとされており、拡散反射部材２６は、ＬＥＤ光源基板２１に設けられている。このようにすれば、ＬＥＤ光源である緑色ＬＥＤ光源１９から発せられた光は、導光板２２のＬＥＤ入光部２２ｂに入射し、導光板２２内を伝播された後に出光板面２２ｃから出射される。ＬＥＤ光源である緑色ＬＥＤ光源１９が実装されたＬＥＤ光源基板２１を利用して拡散反射部材２６を導光板２２のレーザ入光反対部２２ｅに対して正対する形で配することができる。
【００４５】
また、レーザ光源である赤色レーザ光源１７及び青色レーザ光源１８が実装されてレーザ入光部２２ａと対向状をなすレーザ光源基板２０と、レーザ光源基板２０及びＬＥＤ光源基板２１が取り付けられるとともに導光板２２を収容するシャーシ（筐体）１４と、を備える。このようにすれば、レーザ光源基板２０と、拡散反射部材２６が設けられたＬＥＤ光源基板２１と、が共通のシャーシ１４に取り付けられるので、レーザ光源である赤色レーザ光源１７及び青色レーザ光源１８と拡散反射部材２６との位置関係に係る位置精度を高く保つ上で好適となる。
【００４６】
また、ＬＥＤ光源基板２１は、導光板２２に対して鉛直方向についての下側に配されており、拡散反射部材２６は、導光板２２のレーザ入光反対部２２ｅに接する形で配されている。このようにすれば、導光板２２に作用する重力を利用してレーザ入光反対部２２ｅと拡散反射部材２６とを密着状態に保つことができる。これにより、レーザ入光反対部２２ｅと拡散反射部材２６との間から光漏れが生じ難くなり、光の利用効率に優れる。
【００４７】
また、レーザ光源には、赤色レーザ光を発する赤色レーザ光源１７と、青色レーザ光を発する青色レーザ光源１８と、が含まれるのに対し、ＬＥＤ光源には、緑色光を発する緑色ＬＥＤ光源１９が含まれている。このようにすれば、拡散反射部材２６は、赤色レーザ光源１７及び青色レーザ光源１８から発せられた赤色レーザ光及び青色レーザ光を拡散反射することで、拡散光を発する擬似的な赤色拡散光源及び青色拡散光源として機能するので、拡散反射部材２６により拡散反射された赤色光及び青色光は、緑色ＬＥＤ光源１９から発せられてＬＥＤ入光部２２ｂに入射した緑色光と共に導光板２２内にて良好にミキシングされて白色光として出光板面２２ｃから出射される。赤色レーザ光源１７から発せられる赤色レーザ光と、青色レーザ光源１８から発せられる青色レーザ光と、は、互いに波長範囲が干渉することが殆ど無く、且つ緑色ＬＥＤ光源１９から発せられる緑色光に対しても波長範囲が干渉することが殆ど無いものとされる。これにより、各色の色純度が十分に高いものとなる。しかも、緑色ＬＥＤ光源１９は、緑色レーザ光を発する緑色レーザ光源に比べると、発光効率が良好なので、低消費電力で高輝度が得られる。
【００４８】
また、赤色レーザ光源１７及び青色レーザ光源１８は、互いに隣り合う形で配されており、拡散反射部材２６は、赤色レーザ光源１７と青色レーザ光源１８とに跨る形成範囲を有する。このようにすれば、互いに隣り合う赤色レーザ光源１７と青色レーザ光源１８とに跨る形成範囲を有する拡散反射部材２６により赤色レーザ光及び青色レーザ光を効率的に散乱反射することができる。
【００４９】
また、本実施形態に係る液晶表示装置（表示装置）１０は、上記記載のバックライト装置１２と、バックライト装置１２から照射される光を利用して画像を表示する液晶パネル（表示パネル）１１と、を備える。このような構成の液晶表示装置１０によれば、バックライト装置１２の部品点数が削減されるとともに、バックライト装置１２においてレーザ光が拡散反射部材２６により拡散反射される確実性が高いから、製造コストを削減することができるとともに、表示品位に優れた表示を実現することができる。
【００５０】
また、本実施形態に係るテレビ受信装置１０ＴＶは、上記記載の液晶表示装置１０を備える。このようなテレビ受信装置１０ＴＶによれば、液晶表示装置１０の製造コストが削減されるとともに、表示品位が優れたものとされているから、価格競争力に優れるとともに、表示品位に優れたテレビ画像の表示を実現することができる。
【００５１】
＜実施形態２＞
本発明の実施形態２を図６または図７によって説明する。この実施形態２では、拡散反射部材１２６を変更したものを示す。なお、上記した実施形態１と同様の構造、作用及び効果について重複する説明は省略する。
【００５２】
本実施形態に係る拡散反射部材１２６は、図６及び図７に示すように、導光板支持部材１２４に設けられている。詳しくは、導光板１２２におけるＹ軸方向についての両端部をそれぞれ支持する一対の導光板支持部材１２４のうち、Ｙ軸方向についてレーザ光源基板１２０側とは反対側、つまりＬＥＤ光源基板１２１側に配された導光板支持部材１２４には、拡散反射部材１２６が設けられている。拡散反射部材１２６は、上記導光板支持部材１２４を構成する本体部１２４ａから表側（脚部１２４ｂの突出側とは反対側）に向けて立ち上がる形で設けられるとともに、導光板１２２のレーザ入光反対部１２２ｅと正対する形で配されている。拡散反射部材１２６は、本体部１２４ａにおいてＸ軸方向について間隔を空けて複数が並んで配されており、その配置が導光板１２２における複数のレーザ入光反対部１２２ｅの配置と一致している。拡散反射部材１２６は、導光板１２２のレーザ入光反対部１２２ｅとは直接接するものの、ＬＥＤ光源基板１２１に対しては離間している（間隔を空けて配されている）。このように導光板１２２を支持するための導光板支持部材１２４を利用して拡散反射部材１２６を導光板１２２のレーザ入光反対部１２２ｅに対して正対する形で配することができる。
【００５３】
以上説明したように本実施形態によれば、導光板１２２を出光板面１２２ｃ側とは反対側から支持する導光板支持部材１２４を備えており、拡散反射部材１２６は、導光板支持部材１２４に設けられる。このようにすれば、導光板１２２は、導光板支持部材１２４によって出光板面１２２ｃ側とは反対側から支持されることで、レーザ光源である赤色レーザ光源１１７及び青色レーザ光源１１８とレーザ入光部１２２ａとの位置関係が安定的に保持される。この導光板支持部材１２４を利用して拡散反射部材１２６を導光板１２２のレーザ入光反対部１２２ｅに対して正対する形で配することができる。
【００５４】
＜実施形態３＞
本発明の実施形態３を図８によって説明する。この実施形態３では、上記した実施形態１からレーザ入光部２２２ａ及びＬＥＤ入光部２２２ｂの構成を変更したものを示す。なお、上記した実施形態１と同様の構造、作用及び効果について重複する説明は省略する。
【００５５】
本実施形態に係る導光板２２２には、図８に示すように、その外周端面におけるレーザ入光部２２２ａ及びＬＥＤ入光部２２２ｂにそれぞれ光屈折部２７が設けられている。光屈折部２７は、レーザ入光部２２２ａ及びＬＥＤ入光部２２２ｂの各表面を、それぞれ断面形状がプリズム状となるよう凹凸加工してなる。光屈折部２７は、各レーザ光源２１７，２１８からレーザ入光部２２２ａへ入射する各レーザ光や緑色ＬＥＤ光源２１９からＬＥＤ入光部２２２ｂへ入射する緑色光に発散角が拡張するような屈折作用を付与するものである。光屈折部２７によって屈折作用が付与された各光は、Ｙ軸方向について各入光部２２２ａ，２２２ｂから離れる形で導光板２２２内を進行する（例えばレーザ入光部２２２ａ側からレーザ入光反対部２２２ｅへ向けて進行する）過程でＸ軸方向について発散し、配光範囲が次第に広げられる。特に、各レーザ光は、光屈折部２７によって配光範囲が広げられることで、レーザ入光反対部２２２ｅに達したときに拡散反射部材２２６に対してより広範囲に照射されつつ拡散反射されるので、拡散反射部材２２６による拡散反射光の拡散範囲がより広いものとなる。これにより、導光板２２２の出光板面２２２ｃの面内において出射光の輝度均一性がより高いものとされる。
【００５６】
以上説明したように本実施形態によれば、導光板２２２の外周端面における少なくともレーザ入光部２２２ａには、レーザ入光部２２２ａに入射したレーザ光の配光範囲がレーザ入光部２２２ａ側からレーザ入光反対部２２２ｅへ向かうほど広がるようレーザ光に屈折作用を付与する光屈折部２７が設けられている。このようにすれば、レーザ光源である赤色レーザ光源２１７及び青色レーザ光源２１８から発せられたレーザ光は、レーザ入光部２２２ａに入射する際に光屈折部２７によって屈折作用が付与される。屈折作用を付与されたレーザ光は、導光板２２２内をレーザ入光部２２２ａ側からレーザ入光反対部２２２ｅへ向けて進行する過程で配光範囲が広げられる。従って、レーザ入光反対部２２２ｅに達したレーザ光は、拡散反射部材２２６に対してより広範囲に照射されつつ拡散反射されるので、拡散反射部材２２６による拡散反射光の拡散範囲がより広いものとなる。これにより、出光板面２２２ｃの面内において出射光の輝度均一性がより高いものとされる。
【００５７】
＜実施形態４＞
本発明の実施形態４を図９によって説明する。この実施形態４では、上記した実施形態１から赤色レーザ光源３１７及び青色レーザ光源３１８の配置を変更したものを示す。なお、上記した実施形態１と同様の構造、作用及び効果について重複する説明は省略する。
【００５８】
本実施形態に係る赤色レーザ光源３１７及び青色レーザ光源３１８は、図９に示すように、１つの組をなすもの同士が近接する形で配されている。つまり、１つの組をなす赤色レーザ光源３１７と青色レーザ光源３１８との間にＸ軸方向について殆ど隙間が無い配置とされている。これにより、赤色レーザ光源３１７及び青色レーザ光源３１８におけるＸ軸方向についての配置範囲が狭められるので、それに伴って拡散反射部材３２６の形成範囲も狭くすることができる。このような構成では、赤色レーザ光源３１７及び青色レーザ光源３１８から発せられて導光板３２２内において拡散反射部材３２６によって拡散反射された赤色レーザ光及び青色レーザ光は、上記した実施形態１に比べると、互いにまたは緑色ＬＥＤ光源３１９からの緑色光と混じり合い難くなっている。このため、導光板３２２のうち、緑色ＬＥＤ光源３１９及び拡散反射部材３２６側の端部には、赤色レーザ光、青色レーザ光及び緑色光を混色するための混色領域（図９に示す一点鎖線よりも下側の領域）ＭＡが設定されている。
【００５９】
＜実施形態５＞
本発明の実施形態５を図１０または図１１によって説明する。この実施形態５では、上記した実施形態１から緑色ＬＥＤ光源１９に代えて緑色レーザ光源２８を用いたものを示す。なお、上記した実施形態１と同様の構造、作用及び効果について重複する説明は省略する。
【００６０】
本実施形態に係るバックライト装置４１２は、図１０及び図１１に示すように、光源としてＬＥＤ光源を有しておらず、赤色レーザ光源４１７、青色レーザ光源４１８及び緑色レーザ光源２８を有している。なお、図１０では、区別のために緑色レーザ光源２８に斜め縞の模様を付している。赤色レーザ光源４１７、青色レーザ光源４１８及び緑色レーザ光源２８は、共通のレーザ光源基板４２０に実装されており、Ｘ軸方向に沿って間欠的に繰り返し並んで列状に配されている。従って、このバックライト装置４１２は、その短辺方向についての一方の端部にレーザ光源基板４２０が配されており、各レーザ光源２８，４１７，４１８からの光が導光板４２２に対して片側から入光される片側入光タイプのエッジライト型とされる。導光板４２２の外周端面における長辺側の一方（図１０に示す上側）の端面は、赤色レーザ光源４１７と正対するレーザ入光部４２２ａと、青色レーザ光源４１８と正対するレーザ入光部４２２ａと、緑色レーザ光源２８と正対するレーザ入光部４２２ａと、を有する。一方、導光板４２２の外周端面における長辺側の他方（図１０に示す下側）の端面は、上記した各レーザ入光部４２２ａとは反対側に位置する部分がそれぞれレーザ入光反対部４２２ｅとされる。
【００６１】
そして、拡散反射部材４２６は、導光板４２２の外周端面のうち上記した他方の端面（レーザ入光反対部４２２ｅを有する端面）に対してほぼ全域にわたって正対する形で配されている。つまり、拡散反射部材４２６は、上記した他方の端面においてＸ軸方向について間欠的に並ぶ複数のレーザ入光反対部４２２ｅに加えて、レーザ入光反対部４２２ｅに隣り合う部分とも正対している。このようにすれば、各レーザ光源２８，４１７，４１８に対する拡散反射部材４２６のＸ軸方向についての位置関係を問わず各色のレーザ光を拡散反射することができるので、各色のレーザ光が拡散反射部材４２６により拡散反射される確実性が高いものとされる。また、組み付けに際しては、拡散反射部材４２６を各レーザ光源２８，４１７，４１８に対してＸ軸方向について位置合わせする必要がないものとされるので、製造が容易なものとなる。拡散反射部材４２６は、導光板４２２におけるＹ軸方向についての両端部をそれぞれ支持する一対の導光板支持部材４２４のうち、Ｙ軸方向についてレーザ光源基板４２０側とは反対側に配された導光板支持部材４２４に設けられている。導光板支持部材４２４に設けられた拡散反射部材４２６は、上記した実施形態２と同様の構成であることから、重複する説明は割愛する。
【００６２】
＜他の実施形態＞
本発明は上記記述及び図面によって説明した実施形態に限定されるものではなく、例えば次のような実施形態も本発明の技術的範囲に含まれる。
（１）上記した各実施形態以外にも、拡散反射部材として、ＰＥＴなどからなる発泡樹脂材や屈折率が異なる誘電体層を多数積層した誘電体多層膜構造を有する多層膜反射シートや金属材料からなる金属反射膜などを用いることも可能である。
（２）上記した各実施形態では、拡散反射部材がＬＥＤ光源基板や導光板支持部材に一体に設けられる場合を示したが、拡散反射部材をシャーシの底部または側部に一体に設けるようにしても構わない。また、拡散反射部材をＬＥＤ光源基板、導光板支持部材及びシャーシなどとは別体としつつもこれらのいずれかに対して取り付けるようにしても構わない。
（３）上記した各実施形態では、各レーザ光源及びレーザ光源基板が導光板に対して鉛直方向について上側に、拡散反射部材が導光板に対して鉛直方向について下側にそれぞれ配される場合を示したが、これらの配置を逆にすることも可能である。
（４）上記した各実施形態（実施形態５を除く）では、隣り合う拡散反射部材の間に緑色ＬＥＤ光源が１つのみ介在する構成を示したが、隣り合う拡散反射部材の間に緑色ＬＥＤ光源が複数介在する構成を採ることも可能である。つまり、緑色ＬＥＤ光源は、複数が１つの組をなす形で複数組配されていても構わない。
（５）上記した各実施形態以外にも、拡散反射部材の具体的な形成範囲や配置などについては適宜に変更可能である。
（６）上記した実施形態１〜４では、緑色のみをＬＥＤ光源とした構成を示したが、赤色または青色のいずれか１つをＬＥＤ光源とし、緑色レーザ光源を含ませるようにしても構わない。また、赤色、緑色及び青色のうちの２つをＬＥＤ光源とし、残りの１つをレーザ光源としても構わない。その場合、例えば赤色をレーザ光源とし、青緑色（シアン色）のＬＥＤ光源を用いることも可能であり、それ以外にも適宜に組み合わせることが可能である。
（７）上記した実施形態３の変形例として、レーザ光源基板と対向する一方の端面の全域に光屈折部を設けるようにしても構わない。また、ＬＥＤ入光部については光屈折部を省略することも可能である。
（８）上記した各実施形態以外にも、赤色レーザ光源、青色レーザ光源及び緑色ＬＥＤ光源に係る具体的な発光スペクトル（主発光波長や半値幅などの数値）は適宜に変更可能である。
（９）上記した各実施形態以外にも、カラーフィルタを構成するＲ，Ｇ，Ｂの各着色部に係る具体的な透過スペクトル（ピーク波長や半値幅などの数値）は適宜に変更可能である。
（１０）上記した各実施形態では、液晶パネルのカラーフィルタが赤色、緑色及び青色の３色構成とされたものを例示したが、赤色、緑色及び青色に、黄色または白色を加えて４色構成としたカラーフィルタを備えたものにも本発明は適用可能である。
（１１）上記した各実施形態では、液晶パネルの動作モードがＶＡモードとされる場合を示したが、ＦＦＳ（Fringe Field Switching）モードなどであっても構わない。ＦＦＳモードでは、ＣＦ基板側の対向電極が除去されるとともに、アレイ基板側に画素電極との間で電界を形成する共通電極を設けられる。
（１２）上記した各実施形態では、液晶表示装置（液晶パネルやバックライト装置）の平面形状が横長の方形とされる場合を示したが、液晶表示装置の平面形状が縦長の方形、正方形、長円形状、楕円形状、円形、台形、部分的に曲面を持つ形状などであっても構わない。
【符号の説明】
【００６３】
１０…液晶表示装置（表示装置）、１１…液晶パネル（表示パネル）、１２，４１２…バックライト装置（照明装置）、１４…シャーシ（筐体）、１７，１１７，２１７，３１７，４１７…赤色レーザ光源（レーザ光源）、１８，１１８，２１８，３１８，４１８…青色レーザ光源（レーザ光源）、１９，２１９，３１９…緑色ＬＥＤ光源（ＬＥＤ光源）、２０，１２０，４２０…レーザ光源基板、２１，１２１…ＬＥＤ光源基板、２２，１２２，２２２，３２２，４２２…導光板、２２ａ，１２２ａ，２２２ａ，４２２ａ…レーザ入光部（入光部）、２２ｂ，２２２ｂ…ＬＥＤ入光部、２２ｃ，１２２ｃ，２２２ｃ…出光板面、２２ｅ，１２２ｅ，２２２ｅ，４２２ｅ…レーザ入光反対部（入光反対部）、２４，１２４，４２４…導光板支持部材、２６，１２６，２２６，３２６，４２６…拡散反射部材、２７…光屈折部、２８…緑色レーザ光源（レーザ光源）
【図１】
2018120793.tif 000003
【図２】
2018120793.tif 000004
【図３】
2018120793.tif 000005
【図４】
2018120793.tif 000006
【図５】
2018120793.tif 000007
【図６】
2018120793.tif 000008
【図７】
2018120793.tif 000009
【図８】
2018120793.tif 000010
【図９】
2018120793.tif 000011
【図１０】
2018120793.tif 000012
【図１１】
2018120793.tif 000013